(57)【要約】【課題】サーバ装置にアクセスすることなく、通常とは異なる方法でコンテンツの再生が可能なコンテンツ再生システムを提供する。【解決手段】本発明に係るコンテンツ再生システム１００は、サーバ装置１１０と、複数の記録再生装置１２０とを備え、サーバ装置１１０のコメントデータ記憶部１１１は、コメントデータを格納している。記録再生装置１２０は、コメントデータを作成するコメントデータ作成部１３２と、コメントデータを送信するコメントデータ送信部１３３と、コメントデータをサーバ装置１１０から取得するコメントデータ取得部１３４と、コメントデータを実行して動画を再生するピックアップ部１３６とを備える。さらに、記録再生装置１２０は、コメントデータを動画データに関連付けて記憶するメモリ１３８を備えているので、サーバ装置１１０にアクセスすることなく、コメントを表示して動画を再生することができる。【選択図】図１
2010239585.tif 000002
【特許請求の範囲】
【請求項１】
コンテンツを再生する再生手段を備え、前記コンテンツの再生に関連するコンテンツ再生関連データを格納するサーバ装置に接続可能な再生装置であって、
前記コンテンツ再生関連データを作成するコンテンツ再生関連データ作成手段と、
前記コンテンツ再生関連データ作成手段によって作成されたコンテンツ再生関連データを前記サーバ装置に送信するコンテンツ再生関連データ送信手段と、
前記コンテンツ再生関連データを前記サーバ装置から取得するコンテンツ再生関連データ取得手段と、
前記コンテンツ再生関連データ作成手段によって作成されたコンテンツ再生関連データと、前記コンテンツ再生関連データ取得手段によって取得された前記コンテンツ再生関連データとを、前記コンテンツに関連付けて記憶する記憶部とを備え、
前記コンテンツ再生関連データ作成手段は、作成したコンテンツ再生関連データを前記コンテンツに関連付けて前記記憶部に記憶させ、
前記コンテンツ再生関連データ取得手段は、取得したコンテンツ再生関連データを前記コンテンツに関連付けて前記記憶部に記憶させ、
前記再生手段は、前記コンテンツに関連付けて前記記憶部に記憶されたコンテンツ再生関連データに基づいて、前記コンテンツを再生することを特徴とするコンテンツ再生装置。
【請求項２】
前記コンテンツ再生関連データは、
前記再生手段が前記コンテンツを再生する際に、前記コンテンツの任意に区分された再生区間の再生順序と各再生区間を再生要否とを示すシナリオデータであることを特徴とする請求項１に記載のコンテンツ再生装置。
【請求項３】
前記再生手段は、光ディスクに対してデータの書き込みを行うピックアップ部を備え、
前記記憶部は、前記光ディスクの記憶領域の一部であることを特徴とする請求項１または２に記載のコンテンツ再生装置。
【請求項４】
サーバ装置と、
コンテンツを再生する再生手段を備え、前記サーバ装置に接続可能なコンテンツ再生装置とを備え、
前記サーバ装置は、
前記コンテンツの再生に関連するコンテンツ再生関連データを格納しており、
前記コンテンツ再生装置は、
前記コンテンツ再生関連データを作成するコンテンツ再生関連データ作成手段と、
前記コンテンツ再生関連データ作成手段によって作成されたコンテンツ再生関連データを前記サーバ装置に送信するコンテンツ再生関連データ送信手段と、
前記コンテンツ再生関連データを前記サーバ装置から取得するコンテンツ再生関連データ取得手段とを備えるコンテンツ再生システムであって、
前記コンテンツ再生装置は、
前記コンテンツ再生関連データを記憶する記憶部を備え、
前記コンテンツ再生関連データ作成手段は、作成したコンテンツ再生関連データを前記コンテンツに関連付けて前記記憶部に記憶させ、
前記コンテンツ再生関連データ取得手段は、取得したコンテンツ再生関連データを前記コンテンツに関連付けて前記記憶部に記憶させ、
前記再生手段は、前記コンテンツに関連付けて前記記憶部に記憶されたコンテンツ再生関連データに基づいて、前記コンテンツを再生することを特徴とするコンテンツ再生システム。
【請求項５】
前記コンテンツ再生関連データは、
前記再生手段が前記コンテンツを再生する際に、前記コンテンツの任意に区分された再生区間の再生順序と各再生区間を再生要否とを示すシナリオデータであることを特徴とする請求項４に記載のコンテンツ再生システム。
【請求項６】
前記再生手段は、光ディスクに対してデータの書き込みを行うピックアップ部を備え、
前記記憶部は、前記光ディスクの記憶領域の一部であることを特徴とする請求項４または５に記載のコンテンツ再生システム。
【請求項７】
請求項１〜３のいずれか１項に記載の前記コンテンツ再生装置の各手段としてコンピュータを動作させるプログラム。
【請求項８】
請求項７に記載のプログラムを記録したコンピュータ読み取り可能な記録媒体。
【発明の詳細な説明】
【技術分野】
【０００１】
本発明は、サーバ装置とクライアント装置とを備え、クライアント装置において動画などのコンテンツを再生するコンテンツ再生システムに関する。
【背景技術】
【０００２】
従来より、再生中の動画に対して、ユーザがコメントを付けることができ、ユーザが付したコメントを動画再生中に表示させるコンテンツ再生システムが実用化されている。
【０００３】
図１１は、従来のコンテンツ再生システム５００の構成を示すブロック図である。コンテンツ再生システム５００は、サーバ装置５１０と、複数のクライアント装置５２０とを備えている。サーバ装置５１０と各クライアント装置５２０とは、インターネット回線を介して互いに接続されている。
【０００４】
サーバ装置５１０は、コンテンツデータ記憶部５１１とコメントデータ記憶部５１２とを備えている。コンテンツデータ記憶部５１１には、クライアント装置５２０において再生するための動画データ（コンテンツ）が格納されている。クライアント装置５２０は、サーバ装置５１０にアクセスして、動画データをダウンロードすることにより、クライアント装置５２０のユーザは、動画を視聴することができる。また、コメントデータ記憶部５１２には、動画の再生中に表示されるユーザの感想などのコメントを示すコメントデータが、動画データと関連付けられて格納されている。コメントデータは、各クライアント装置５２０において作成され、各クライアント装置５２０からサーバ装置５１０にアップロードされたものである。
【０００５】
クライアント装置５２０は、パーソナルコンピュータ５３０、入力装置５４０およびディスプレイ５５０を備えている。パーソナルコンピュータ５３０は、インターフェース部５３１、コメントデータ作成部５３２、コメントデータ送信部５３３、コメントデータ取得部５３４、コンテンツ取得部５３５およびコンテンツ再生部５３６を備えている。
【０００６】
インターフェース部５３１は、クライアント装置５２０とサーバ装置５１０とを通信可能に接続している。まず、ディスプレイ５５０に動画を表示させる場合、コンテンツ取得部５３５がサーバ装置５１０のコンテンツデータ記憶部５１１にアクセスして、所望の動画データをダウンロードして、動画データをコンテンツ再生部５３６に出力する。これにより、コンテンツ再生部５３６が動画データを再生する。
【０００７】
ここで、動画データの再生中に、ユーザは、入力装置５４０によって動画に対する感想などをコメントとして入力することができる。コメントデータ作成部５３２は、ユーザからコメントの入力を受け付けると、コメント情報を入力を受け付けた時間（動画再生開始からの時間）等に関する情報とともにデータ化する。コメントデータ送信部５３３は、サーバ５１０のアドレスに関する情報を記憶しており、データ化されたコメントデータは、コメントデータ送信部５３３によって、サーバ装置５１０に送信され、コメントデータ記憶部５１２にアップロードされる。
【０００８】
コメントデータ記憶部５１２に記憶されているコメントデータは、当該コメントデータに係る動画がクライアント装置５２０で再生されるときに、クライアント装置５２０のコメントデータ取得部５３４によってダウンロードされる。このとき、コンテンツ再生部５３６は、動画データの再生中に、ダウンロードされたコメントデータをコメントデータ取得部５３４から受け取って、動画とともにコメントを表示する。これにより、例えば、図１２に示す動画の再生中、図１３に示すように、コメントを表示させることができる。
【０００９】
上記のようなコンテンツ再生システムは、例えば、非特許文献１に示すように実現されている。
【先行技術文献】
【非特許文献】
【００１０】
【非特許文献１】“動画上にコメントが載せられる「ニコニコ動画」、ニワンゴがベータテスト”、［online］、２００７年１月１５日、［２００９年３月１０日検索］、インターネット〈URL：http://internet.watch.impress.co.jp/cda/news/2007/01/15/14460.html〉
【発明の概要】
【発明が解決しようとする課題】
【００１１】
また、近年では、パーソナルコンピュータだけでなく、ＤＶＤディスクやブルーレイディスク等の光ディスク用の記録再生装置も、インターネットに接続して、様々なコンテンツを取得することができるようになっている。そこで、光ディスク用記録再生装置を用いて上記のコンテンツ再生システムを構成する形態の一例について、図１４に基づいて説明する。
【００１２】
図１４は、光ディスク用記録再生装置を用いたコンテンツ再生システム６００の構成の一例を示すブロック図である。コンテンツ再生システム６００は、サーバ装置６１０と、複数のクライアント装置６２０とを備えている。各クライアント装置６２０は、インターネット回線を介して、サーバ装置６１０と接続可能となっている。
【００１３】
サーバ装置６１０は、コメントデータ記憶部６１１を備えている。コメントデータ記憶部６１１には、クライアント装置６２０において再生される動画データに係るコメントデータが、動画データと関連付けられて格納されている。コメントデータは、各クライアント装置６２０において作成され、各クライアント装置６２０からサーバ装置６１０にアップロードされたものである。なお、コンテンツ再生システム６００では、クライアント装置６２０において再生される動画データは、主に、地上デジタル放送等で受信される番組のデータである。
【００１４】
クライアント装置６２０は、記録再生装置６３０、入力装置６４０およびディスプレイ６５０を備えている。記録再生装置６３０は、インターフェース部６３１、コメントデータ作成部６３２、コメントデータ送信部６３３、コメントデータ取得部６３４、コンテンツ取得部６３５、ピックアップ部６３６および画像処理部６３７を備えている。
【００１５】
インターフェース部６３１は、クライアント装置６２０とサーバ装置６１０とを通信可能に接続するインターフェースであるとともに、図示しない放送局から放送波を受信して動画データを取得するためのインターフェースとしても機能する。記録再生装置６３０は、ピックアップ部６３６に装填される光ディスク６３６ａに記録／再生するレコーダである。光ディスク６３６ａに動画データを記録する場合、コンテンツ取得部６３５がインターフェース部６３１が受信した放送波から動画データを取得して、ピックアップ部６３６に動画データを出力する。記録再生装置６３０は、ピックアップ部６３６に装填されている光ディスク６３６ａに対する動画データの書き込み／読み出しを制御するドライブ制御部を有しており、ドライブ制御部の指示によって、コンテンツ取得部６３５から入力される動画データは、光ディスク６３６ａに記録される。光ディスク６３６ａに記録された動画データは、上記ドライブ制御部の指示によって、光ディスク６３６ａから読み出され、画像処理部６３７において、画素の補間や色調整などの高品質化処理を施されて、ディスプレイ６５０に出力される。これにより、ディスプレイ６５０に動画が表示される。
【００１６】
また、ユーザは、動画データの再生中に、入力装置６４０によって動画に対する感想などをコメントとして入力することができる。コメントデータ作成部６３２は、ユーザからコメントの入力を受け付けると、コメント情報をデータ化し、データ化されたコメントデータは、コメントデータ送信部６３３によって、サーバ装置６１０に送信され、コメントデータ記憶部６１１にアップロードされる。このように、コメントデータ記憶部６１１には、各クライアント装置６２０からアップロードされた様々なコメントデータが記録されている。
【００１７】
一方、各クライアント装置６２０において、ディスプレイ６５０に動画をコメントとともに表示させる場合、記録再生装置６３０のコメントデータ取得部６３４は、動画の再生中にサーバ装置６１０にアクセスして、再生されている動画に関連するコメントデータを検索する。コメントデータが見付かった場合は、コメントデータ取得部６３４は、コメントデータをサーバ装置６１０から順次ダウンロードして、画像処理部６３７に出力する。これにより、コメントデータ記憶部６１１に記録されているコメントが、ディスプレイ６５０に動画とともに表示される。
【００１８】
しかしながら、上述のコンテンツ再生システム６００では、コメントデータはサーバ装置６１０に格納されているため、動画を再生するたびにサーバ装置にアクセスしてコメントデータをダウンロードしなければ、動画にコメントを表示させることができないという問題がある。
【００１９】
本発明は、上記の問題点を解決するためになされたもので、その目的は、サーバ装置にアクセスすることなく、通常とは異なる方法でコンテンツの再生が可能なコンテンツ再生装置およびコンテンツ再生システムを実現することにある。
【課題を解決するための手段】
【００２０】
上記の課題を解決するために、本発明に係るコンテンツ再生装置は、コンテンツを再生する再生手段を備え、前記コンテンツの再生に関連するコンテンツ再生関連データを格納するサーバ装置に接続可能な再生装置であって、前記コンテンツ再生関連データを作成するコンテンツ再生関連データ作成手段と、前記コンテンツ再生関連データ作成手段によって作成されたコンテンツ再生関連データを前記サーバ装置に送信するコンテンツ再生関連データ送信手段と、前記コンテンツ再生関連データを前記サーバ装置から取得するコンテンツ再生関連データ取得手段と、前記コンテンツ再生関連データ作成手段によって作成されたコンテンツ再生関連データと、前記コンテンツ再生関連データ取得手段によって取得された前記コンテンツ再生関連データとを、前記コンテンツに関連付けて記憶する記憶部とを備え、前記コンテンツ再生関連データ作成手段は、作成したコンテンツ再生関連データを前記コンテンツに関連付けて前記記憶部に記憶させ、前記コンテンツ再生関連データ取得手段は、取得したコンテンツ再生関連データを前記コンテンツに関連付けて前記記憶部に記憶させ、前記再生手段は、前記コンテンツに関連付けて前記記憶部に記憶されたコンテンツ再生関連データに基づいて、前記コンテンツを再生することを特徴としている。
【００２１】
また、上記の課題を解決するために、本発明に係るコンテンツ再生システムは、サーバ装置と、コンテンツを再生する再生手段を備え、前記サーバ装置に接続可能なコンテンツ再生装置とを備え、前記サーバ装置は、前記コンテンツの再生に関連するコンテンツ再生関連データを格納しており、前記コンテンツ再生装置は、前記コンテンツ再生関連データを作成するコンテンツ再生関連データ作成手段と、前記コンテンツ再生関連データ作成手段によって作成されたコンテンツ再生関連データを前記サーバ装置に送信するコンテンツ再生関連データ送信手段と、前記コンテンツ再生関連データを前記サーバ装置から取得するコンテンツ再生関連データ取得手段とを備えるコンテンツ再生システムであって、前記コンテンツ再生装置は、前記コンテンツ再生関連データを記憶する記憶部を備え、前記コンテンツ再生関連データ作成手段は、作成したコンテンツ再生関連データを前記コンテンツに関連付けて前記記憶部に記憶させ、前記コンテンツ再生関連データ取得手段は、取得したコンテンツ再生関連データを前記コンテンツに関連付けて前記記憶部に記憶させ、前記再生手段は、前記コンテンツに関連付けて前記記憶部に記憶されたコンテンツ再生関連データに基づいて、前記コンテンツを再生することを特徴としている。
【００２２】
上記の構成によれば、コンテンツ再生装置の再生手段は、コンテンツ再生関連データに基づいてコンテンツを再生する。コンテンツ再生関連データは、コンテンツの再生画面にコメントを表示させたり、再生手段に所定のシナリオに沿ってコンテンツを再生させるといった、通常再生とは異なる方法でコンテンツの再生を行うためのデータである。例えば、コンテンツ再生関連データが、コンテンツの再生時にコメントを表示するためのコメントデータである場合、再生手段は、コメントデータに基づいてコメントを表示させてコンテンツを再生することができる。
【００２３】
ここで、コンテンツ再生装置は、コンテンツ再生関連データ作成手段とコンテンツ再生関連データ送信手段とを備えているので、コンテンツ再生装置のユーザは、コンテンツ再生関連データを作成し、コンテンツ再生関連データを前記サーバ装置にアップロードすることができる。また、コンテンツ再生装置は、コンテンツ再生関連データ取得手段を備えているので、各コンテンツ再生装置のユーザは、サーバ装置にアップロードされたコンテンツ再生関連データをサーバ装置からダウンロードすることにより、様々なユーザによって作成されたコンテンツ再生関連データを利用することができる。
【００２４】
さらに、コンテンツ再生装置は、コンテンツ再生関連データを記憶する記憶部を備えており、コンテンツ再生関連データ作成手段およびコンテンツ再生関連データ取得手段は、作成または取得したコンテンツ再生関連データをコンテンツに関連付けて記憶部に記憶させている。これにより、記憶部には、コンテンツ再生関連データがコンテンツに関連付けて記憶される。したがって、従来のようにコンテンツ再生関連データを取得するためにサーバ装置にアクセスすることなく、再生手段は、記憶部からコンテンツ再生関連データを読み出して実行することにより、コンテンツ再生関連データに基づいてコンテンツを再生することができる。したがって、サーバ装置にアクセスすることなく、通常とは異なる方法でコンテンツの再生が可能なコンテンツ再生装置およびコンテンツ再生システムを実現することができる。
【００２５】
本発明に係るコンテンツ再生装置およびコンテンツ再生システムでは、前記コンテンツ再生関連データは、前記再生手段が前記コンテンツを再生する際に、前記コンテンツの任意に区分された再生区間の再生順序と各再生区間を再生要否とを示すシナリオデータであることが好ましい。
【００２６】
上記の構成によれば、再生手段は、シナリオデータに基づいて、通常とは異なる再生順序でコンテンツを再生したり、選択された再生区間のみを再生することができる。サーバ装置には、各コンテンツ再生装置からアップロードされたシナリオデータが記憶され、コンテンツ再生装置は、コンテンツ再生関連データ取得手段によってシナリオデータをダウンロードできるので、各コンテンツ再生装置のユーザは、様々なシナリオでコンテンツを再生することが可能となる。
【００２７】
本発明に係るコンテンツ再生装置およびコンテンツ再生システムでは、前記再生手段は、光ディスクに対してデータの書き込みを行うピックアップ手段を備え、前記記憶部は、前記光ディスクの記憶領域の一部であることが好ましい。
【００２８】
上記の構成によれば、光ディスクは、コンテンツ再生装置から取り出し可能である。このため、コンテンツ再生装置がサーバ装置に接続されていない場合であっても、コンテンツ再生関連データ作成手段によって作成したコンテンツ再生関連データを一旦光ディスクに保存して、他のコンテンツ再生装置に光ディスクに装填することにより、当該他のコンテンツ再生装置からコンテンツ再生関連データをサーバ装置にアップロードすることが可能となる。
【００２９】
上記コンテンツ再生装置は、ハードウェアで実現してもよいし、プログラムをコンピュータに実行させることによって実現してもよい。具体的には、本発明に係るプログラムは、上記いずれかの構成の各手段としてコンピュータを動作させるプログラムであり、本発明に係る記録媒体には、当該プログラムが記録されている。
【発明の効果】
【００３０】
本発明に係るコンテンツ再生装置は、コンテンツを再生する再生手段を備え、前記コンテンツの再生に関連するコンテンツ再生関連データを格納するサーバ装置に接続可能な再生装置であって、前記コンテンツ再生関連データを作成するコンテンツ再生関連データ作成手段と、前記コンテンツ再生関連データ作成手段によって作成されたコンテンツ再生関連データを前記サーバ装置に送信するコンテンツ再生関連データ送信手段と、前記コンテンツ再生関連データを前記サーバ装置から取得するコンテンツ再生関連データ取得手段と、前記コンテンツ再生関連データ作成手段によって作成されたコンテンツ再生関連データと、前記コンテンツ再生関連データ取得手段によって取得された前記コンテンツ再生関連データとを、前記コンテンツに関連付けて記憶する記憶部とを備え、前記コンテンツ再生関連データ作成手段は、作成したコンテンツ再生関連データを前記コンテンツに関連付けて前記記憶部に記憶させ、前記コンテンツ再生関連データ取得手段は、取得したコンテンツ再生関連データを前記コンテンツに関連付けて前記記憶部に記憶させ、前記再生手段は、前記コンテンツに関連付けて前記記憶部に記憶されたコンテンツ再生関連データに基づいて、前記コンテンツを再生する構成である。
【００３１】
また、本発明に係るコンテンツ再生システムは、サーバ装置と、コンテンツを再生する再生手段を備え、前記サーバ装置に接続可能なコンテンツ再生装置とを備え、前記サーバ装置は、前記コンテンツの再生に関連するコンテンツ再生関連データを格納しており、前記コンテンツ再生装置は、前記コンテンツ再生関連データを作成するコンテンツ再生関連データ作成手段と、前記コンテンツ再生関連データ作成手段によって作成されたコンテンツ再生関連データを前記サーバ装置に送信するコンテンツ再生関連データ送信手段と、前記コンテンツ再生関連データを前記サーバ装置から取得するコンテンツ再生関連データ取得手段とを備えるコンテンツ再生システムであって、前記コンテンツ再生装置は、前記コンテンツ再生関連データを記憶する記憶部を備え、前記コンテンツ再生関連データ作成手段は、作成したコンテンツ再生関連データを前記コンテンツに関連付けて前記記憶部に記憶させ、前記コンテンツ再生関連データ取得手段は、取得したコンテンツ再生関連データを前記コンテンツに関連付けて前記記憶部に記憶させ、前記再生手段は、前記コンテンツに関連付けて前記記憶部に記憶されたコンテンツ再生関連データに基づいて、前記コンテンツを再生する構成である。
【００３２】
したがって、サーバ装置にアクセスすることなく、通常とは異なる方法でコンテンツの再生が可能なコンテンツ再生装置およびコンテンツ再生システムを実現できるという効果を奏する。
【図面の簡単な説明】
【００３３】
【図１】本発明の第１の実施形態に係るコンテンツ再生システムの構成を示すブロック図である。
【図２】図１に示すコンテンツ再生システムのクライアント装置における、コメントデータの作成工程を示すフローチャートである。
【図３】コメント入力操作をｎ回行った場合の、コメントデータの一例を示している。
【図４】図１に示すコンテンツ再生システムのクライアント装置における、コメントの表示工程を示すフローチャートである。
【図５】本発明の第２の実施形態に係るコンテンツ再生システムの構成を示すブロック図である。
【図６】本発明の第３の実施形態に係るコンテンツ再生システムの構成を示すブロック図である。
【図７】図６に示すコンテンツ再生システムのクライアント装置における、シナリオデータの作成工程を示すフローチャートである。
【図８】上記シナリオデータの一例を示す図である。
【図９】図６に示すコンテンツ再生システムのクライアント装置における、動画再生の工程を示すフローチャートである。
【図１０】サーバ装置からダウンロードするシナリオデータを選択するための一覧を示す図である。
【図１１】従来のコンテンツ再生システムの構成を示すブロック図である。
【図１２】コメントを表示させない場合の動画の一例を示す図である。
【図１３】コメントが表示された動画の一例を示す図である。
【図１４】光ディスク用記録再生装置を用いたコンテンツ再生システムの構成の一例を示すブロック図である。
【発明を実施するための形態】
【００３４】
〔実施形態１〕
本発明の第１の実施形態について図１〜図４に基づいて説明すれば以下のとおりである。
【００３５】
図１は、本実施形態に係るコンテンツ再生システム１００の構成を示すブロック図である。コンテンツ再生システム１００は、サーバ装置１１０と、複数のクライアント装置１２０とを備えている。各クライアント装置１２０は、インターネット回線を介して、サーバ装置１１０と接続可能となっている。
【００３６】
サーバ装置１１０は、コメントデータ記憶部１１１を備えている。コメントデータ記憶部１１１には、クライアント装置１２０において再生される動画データに係るコメントデータが格納されている。コメントデータは、特許請求の範囲に記載のコンテンツ再生関連データに相当し、各クライアント装置１２０において作成され、各クライアント装置１２０からサーバ装置１１０にアップロードされている。また、コンテンツ再生システム１００では、クライアント装置１２０において再生される動画データは、主に、地上デジタル放送等で受信される番組のデータである。このように、サーバ装置１１０は、図１４に示すサーバ装置６１０と略同様の構成である。
【００３７】
クライアント装置１２０は、記録再生装置１３０、入力装置１４０およびディスプレイ１５０を備えている。入力装置１４０およびディスプレイ１５０は、図１４に示す入力装置６４０およびディスプレイ６５０と略同様の構成である。
【００３８】
記録再生装置１３０は、インターフェース部１３１、コメントデータ作成部１３２、コメントデータ送信部１３３、コメントデータ取得部１３４、コンテンツ取得部１３５、ピックアップ部１３６、画像処理部１３７およびメモリ１３８を備えており、ピックアップ部１３６には、光ディスク１３６ａが装填されている。ここで、インターフェース部１３１、コメントデータ作成部１３２、コメントデータ送信部１３３、コメントデータ取得部１３４、コンテンツ取得部１３５、ピックアップ部１３６、光ディスク１３６ａおよび画像処理部１３７は、図１４に示す記録再生装置６３０のインターフェース部６３１、コメントデータ作成部６３２、コメントデータ送信部６３３、コメントデータ取得部６３４、コンテンツ取得部６３５、ピックアップ部６３６、光ディスク６３６ａおよび画像処理部６３７とそれぞれ略同様の構成である。すなわち、本実施形態に係るコンテンツ再生システム１００は、記録再生装置１３０がメモリ１３８を備えている点で、図１４に示すコンテンツ再生システム６００と異なっている。
【００３９】
メモリ１３８は、記録再生装置１３０において作成されたコメントデータおよびサーバ装置１１０からダウンロードされたコメントデータを記憶するものである。メモリ１３８は、後述するように、容量の大きいメモリが好ましく、また、記録再生装置１３０と取り外し可能に接続される外付けのメモリであってもよい。
【００４０】
続いて、コンテンツ再生システム１００のクライアント装置１２０における、コメントデータの作成工程について説明する。
【００４１】
図２は、あるユーザ（以下「ユーザＡ」とする）のクライアント装置１２０における、コメントデータの作成工程を示すフローチャートである。コメントデータの作成は、動画の再生中に行うことができる。まず、動画をディスプレイ１５０に表示するため、コンテンツ取得部１３５が、インターフェース部１３１が受信した放送波から番組１の動画データを取得する（ステップＳ１）。コンテンツ取得部１３５は、ピックアップ部１３６に番組１の動画データを出力し、動画データが、光ディスク１３６ａに記録される（Ｓ２）。ピックアップ部１３６において光ディスク１３６ａから番組１の動画データを読み出すことにより、番組１が再生される（Ｓ３）。
【００４２】
番組１の再生中に、ユーザＡは、入力装置１４０を操作することにより、再生中の場面に対する感想（喜び、驚き、悲しみ、怒りなど）をコメントとして入力する（Ｓ４）。例えば、入力装置１４０がリモートコントローラである場合、数字キーの押下によりコメントを入力することができる。また、入力装置１４０は、声をコメントに変換する装置であってもよい。コメントが入力されると、コメントデータ作成部１３２が、コメントをデータ化して、コメントデータをメモリ１３８に保存する。ユーザＡは、再生が終了するまでコメント入力操作を繰り返し行うことができる。
【００４３】
図３は、コメント入力操作をｎ回行った場合の、コメントデータの一例を示している。このコメントデータは、番組識別情報およびコメント１〜コメントｎのｎ個のデータから構成されている。番組識別情報は、コメントを付した番組の放送日時、放送局、番組のタイトルなど、サーバ装置１１０がコメントデータを番組と関連付けて管理するための情報である。コメント１〜コメントｎの各データは、ユーザＡが入力したコメント内容を示すコメント情報の他、時間情報、フォント情報および位置情報が含まれている。時間情報は、コメントが入力された時間、すなわち、コメント入力時における番組１の再生時間を示す情報である。フォント情報は、コメントを表示する文字のフォントを示す情報である。位置情報は、コメントが表示される位置を示す情報である。
【００４４】
再び図２を参照する。番組１の再生が終了すると（Ｓ６において「ＹＥＳ」）、コメントデータ送信部１３３が、メモリ１３８に保存されたコメントデータをネットワークを介してサーバ装置１１０に送信する（Ｓ７）。これにより、コメントデータがサーバ装置１１０のコメントデータ記憶部１１１にアップロードされる（Ｓ８）。なお、アップロードされたコメントデータは、メモリ１３８から消去されずに保持される。
【００４５】
ユーザＡのクライアント装置１２０以外のクライアント装置１２０においても、同様にコメントデータの作成およびコメントデータのコメントデータ記憶部１１１へのアップロードが行われることにより、コメントデータ記憶部１１１には、複数のクライアント装置１２０からのコメントデータが蓄積される。また、コメントデータ記憶部１１１は、コメントデータに含まれる番組識別情報に基づき、番組とコメントデータとが互いに関連付けて記憶している。
【００４６】
本実施形態に係るコンテンツ再生システム１００では、ユーザＡのクライアント装置１２０において作成したコメントデータを、ユーザＡだけでなくユーザＡ以外の不特定多数のユーザ（以下「ユーザＢ」とする）のクライアント装置１２０においても利用できるようになっている。続いて、動画再生時にコメントを表示する工程について説明する。
【００４７】
図４は、ユーザＢのクライアント装置１２０における、コメントの表示工程を示すフローチャートである。ユーザＢのクライアント装置１２０においても、上記の番組１の動画データが、ピックアップ部１３６に装填された光ディスク１３６ａに既に録画されている。ユーザＢが番組１の再生を指示すると（Ｓ１１）、番組１の再生に先立って、ピックアップ部１３６を制御する図示しないドライブ制御部は、番組１のコメントデータがメモリ１３８に保存されているか検索する（Ｓ１２）。
【００４８】
番組１のコメントデータがメモリ１３８に保存されていない場合（Ｓ１２において「ＮＯ」）、コメントデータ取得部１３４は、サーバ装置１１０にアクセスして（Ｓ１３）、番組１のコメントデータがサーバ装置１１０のコメントデータ記憶部１１１に保存されているか検索する（Ｓ１４）。番組１のコメントデータがコメントデータ記憶部１１１に保存されている場合（Ｓ１４において「ＹＥＳ」）、コメントデータ取得部１３４は、コメントデータ記憶部１１１から番組１のコメントデータを取得して、メモリ１３８に取得したコメントデータを保存する（Ｓ１５）。一方、番組１のコメントデータがコメントデータ記憶部１１１に保存されていない場合（Ｓ１４において「ＮＯ」）、コメントを表示せずに動画データの再生が開始される（Ｓ１６）。
【００４９】
また、Ｓ１２において、コメントデータがメモリ１３８に保存されている場合（Ｓ１２において「ＹＥＳ」）、上記のドライブ制御部は、メモリ１３８内のコメントデータを更新するか否かをユーザＢに選択させるためのメッセージを、ディスプレイ１５０に表示する（Ｓ１７）。ユーザＢが、メモリ１３８内のコメントデータを更新することを選択した場合（Ｓ１７において「ＹＥＳ」）、コメントデータ取得部１３４がサーバ装置１１０にアクセスして（Ｓ１８）、コメントデータ記憶部１１１から番組１のコメントデータを取得して、メモリ１３８のコメントデータを更新する（Ｓ１９）。
【００５０】
Ｓ１５においてメモリ１３８にコメントデータが保存された場合、Ｓ１９においてメモリ１３８のコメントデータが更新された場合、および、Ｓ１７においてユーザＢがメモリ１３８内のコメントデータを更新しないことを選択した場合、図示しない上記ドライブ制御部は、動画再生中にコメントを表示させるか否かをユーザＢに選択させるためのメッセージを、ディスプレイ１５０に表示する（Ｓ２０）。このとき、ユーザＢが、動画再生中にコメントを表示させることを選択した場合（Ｓ２０において「ＹＥＳ」）、メモリ１３８からコメントデータが画像処理部１３７に読み出され、コメントを表示して動画データの再生が開始される（Ｓ２１）。一方、ユーザＢが、動画再生中にコメントを表示させないことを選択した場合（Ｓ２０において「ＮＯ」）、コメントを表示せずに動画データの再生が開始される（Ｓ１６）。
【００５１】
図４に示すフローチャートでは、コメントデータがメモリ１３８に保存されていれば（Ｓ１２において「ＹＥＳ」）、サーバ装置１１０にアクセスしてコメントデータの更新をしなくても（Ｓ１７において「ＮＯ」）、コメントを表示することを選択することにより（Ｓ２０において「ＹＥＳ」）、コメントを表示して動画データを再生することが可能となっている（Ｓ２１）。すなわち、コンテンツ再生システム１００では、クライアント装置１２０が、コメントデータを記憶するメモリ１３８を備えているので、サーバ装置１１０にアクセスすることなく、コメントを表示して動画を再生することができる。このように、コメントデータをダウンロードするためにインターネット回線に接続してサーバ装置１１０にアクセスする手間が省けるので、コメントを表示した動画再生を手軽に行うことができる。
【００５２】
また、図１４に示すコンテンツ再生システム６００の記録再生装置６３０では、コメントデータ作成部６３２によって作成されたコメントデータを、コメントデータ送信部６３３が動画再生中にサーバ装置６１０に順次アップロードする構成であった。一方、本実施形態に係るコンテンツ再生システム１００の記録再生装置１３０では、コメントデータ作成部１３２によって作成されたコメントデータを一旦メモリ１３８に保存する構成であるので、サーバ装置１１０に接続されていない環境においても、コメントデータの作成が可能となる。
【００５３】
再生する動画データが多くなるほど、コメントデータの量も多くなるので、メモリ１３８は、大容量のものであることが望ましい。また、メモリ１３８は、不揮発性メモリ、揮発性メモリのいずれでもよいが、不揮発性メモリであれば、記録再生装置１３０の電源を切ってもコメントデータが消去されない。
【００５４】
また、メモリ１３８は、記録再生装置１３０に内蔵されていてもよいし、記録再生装置１３０に取り外し可能に接続されるＵＳＢメモリ等であってもよい。この場合、コメントデータ作成をサーバ装置１１０に接続されない環境で行っても、作成したコメントデータをメモリ１３８に保存できるので、コメントデータ作成後に、サーバ装置１１０に接続できる他の記録再生装置１３０にメモリ１３８を接続することにより、コメントデータをサーバ装置１１０にアップロードすることができる。また、コメントデータ取得部１３４によってサーバ装置１１０から取得したコメントデータをメモリ１３８に保存した後、サーバ装置１１０に接続されていない他の記録再生装置１３０にメモリ１３８を接続することにより、当該他の記録再生装置１３０においても、動画をコメントを表示して再生することが可能となる。
【００５５】
〔実施形態２〕
本発明の第２の実施形態について図５に基づいて説明すれば以下のとおりである。上記の第１の実施形態では、作成またはダウンロードしたコメントデータをメモリに保存する構成について説明したが、本実施形態では、コメントデータを光ディスクに保存する構成について説明する。なお、説明の便宜上、第１の実施形態において説明した図面と同じ機能を有する部材については、同じ符号を付記し、その説明を省略する。
【００５６】
図５は、本実施形態に係るコンテンツ再生システム２００の構成を示すブロック図である。コンテンツ再生システム２００は、サーバ装置１１０と、複数のクライアント装置２２０とを備えている。各クライアント装置２２０は、インターネット回線を介して、サーバ装置１１０と接続可能となっている。
【００５７】
クライアント装置２２０は、記録再生装置２３０、入力装置１４０およびディスプレイ１５０を備えている。記録再生装置２３０は、インターフェース部１３１、コメントデータ作成部１３２、コメントデータ送信部１３３、コメントデータ取得部１３４、コンテンツ取得部１３５、ピックアップ部２３６および画像処理部１３７を備えており、ピックアップ部２３６には、光ディスク２３６ａが装填されている。すなわち、記録再生装置２３０は、図１に示す記録再生装置１３０において、メモリ１３８を省略し、ピックアップ部１３６をピックアップ部２３６に置き換えた構成である。
【００５８】
まず、クライアント装置２２０においてコメントデータを作成する場合について説明する。ピックアップ部２３６において光ディスク２３６ａから動画データを読み出すことにより動画が再生され、動画再生中にユーザが入力装置１４０を操作することによって入力されたコメントは、コメントデータ作成部１３２によってデータ化される。データ化されたコメントデータは、ピックアップ部２３６に装填されている光ディスク２３６ａに記録される。光ディスク２３６ａには、動画データを記録する領域の他に、コメントデータなどのテキストデータを記録する領域が設けられている。これにより、光ディスク２３６ａには、動画データとともに、当該動画データに付されるコメントデータも記録される。
【００５９】
記録再生装置２３０がサーバ装置１１０に接続されている場合は、動画再生終了後、コメントデータ送信部１３３によってコメントデータがサーバ装置１１０にアップロードされる。また、記録再生装置２３０がサーバ装置１１０に接続されていない場合であっても、光ディスク２３６ａを取り出して、サーバ装置１１０に接続されている他の記録再生装置２３０に装填することにより、光ディスク２３６ａに記録されているコメントデータをサーバ装置１１０にアップロードすることができる。
【００６０】
続いて、クライアント装置２２０においてコメントデータをサーバ装置１１０からダウンロードする場合について説明する。ピックアップ部２３６において光ディスク２３６ａから動画データを読み出すことにより動画が再生され、コメントデータ取得部１３４によってサーバ装置１１０から当該動画に関連するコメントデータがダウンロードされると、光ディスク２３６ａにおいてコメントデータの記録・更新が行われる。この工程の具体的内容は、図４のフローチャートにおいて、メモリを光ディスク２３６ａに読み替えて準用したものと略同様である。これにより、光ディスク２３６ａには、各クライアント装置２２０からサーバ装置１１０にアップロードされたコメントデータが記録される。
【００６１】
これにより、第１の実施形態に係るコンテンツ再生システム１００と同様、サーバ装置１１０にアクセスしなくても、記録再生装置２３０においてコメントを表示して動画データを再生することが可能となる。また、光ディスク２３６ａを取り出して他の記録再生装置２３０に装填することにより、当該他の記録再生装置２３０においても、コメントを表示して動画データを再生することができる。
【００６２】
〔実施形態３〕
本発明の第３の実施形態について図６〜図１０に基づいて説明すれば以下のとおりである。上記の第１および第２の実施形態では、特許請求の範囲に記載のコンテンツ再生関連データが動画に表示されるコメントデータである場合について説明したが、本実施形態では、コンテンツ再生関連データが、動画データの再生順序を規定するシナリオデータである場合について説明する。なお、説明の便宜上、第１の実施形態において説明した図面と同じ機能を有する部材については、同じ符号を付記し、その説明を省略する。
【００６３】
図６は、本実施形態に係るコンテンツ再生システム３００の構成を示すブロック図である。コンテンツ再生システム３００は、サーバ装置３１０と、複数のクライアント装置３２０とを備えている。各クライアント装置３２０は、インターネット回線を介して、サーバ装置３１０と接続可能となっている。
【００６４】
サーバ装置３１０は、シナリオデータ記憶部３１１を備えている。シナリオデータ記憶部３１１には、クライアント装置３２０において再生される動画データに係るシナリオデータが格納されている。各クライアント装置３２０において作成され、各クライアント装置３２０からサーバ装置３１０にアップロードされたものである。また、コンテンツ再生システム３００では、第１および第２の実施形態に係るコンテンツ再生システム１００、２００と同様、クライアント装置３２０において再生される動画データは、主に、地上デジタル放送等で受信される番組のデータである。
【００６５】
シナリオデータは、動画データの再生順序を規定するデータである。シナリオデータの具体的内容および作成工程については後述する。
【００６６】
記録再生装置３３０は、インターフェース部３３１、シナリオデータ作成部３３２、シナリオデータ送信部３３３、シナリオデータ取得部３３４、コンテンツ取得部３３５、ピックアップ部３３６、画像処理部３３７およびメモリ３３８を備えており、ピックアップ部３３６には、光ディスク３３６ａが装填されている。
【００６７】
インターフェース部３３１は、クライアント装置３２０とサーバ装置３１０とを通信可能に接続するインターフェースであるとともに、図示しない放送局から放送波を受信して動画データを取得するためのインターフェースとしても機能する。光ディスク３３６ａに動画データを記録する場合、コンテンツ取得部３３５がインターフェース部３３１が受信した放送波から動画データを取得して、ピックアップ部３３６に動画データを出力する。記録再生装置３３０は、ピックアップ部３３６に装填されている光ディスク３３６ａに対する動画データの書き込み／読み出しを制御する図示しないドライブ制御部を有している。当該ドライブ制御部の指示によって、コンテンツ取得部３３５から入力される動画データは、光ディスク３３６ａに記録される。光ディスク３３６ａに記録された動画データは、上記ドライブ制御部の指示によって光ディスク３３６ａから読み出され、画像処理部３３７において高品質化処理を施されて、ディスプレイ１５０に出力される。
【００６８】
図７は、あるユーザ（以下「ユーザＣ」とする）のクライアント装置３２０における、シナリオデータの作成工程を示すフローチャートである。シナリオデータの作成は、動画の再生中、または再生終了後に行うことができる。本フローチャートでは、動画再生中にシナリオデータを作成する場合を示している。まず、動画をディスプレイ１５０に表示するため、コンテンツ取得部３３５が、インターフェース部３３１が受信した放送波から番組２の動画データを取得する（ステップＳ３１）。コンテンツ取得部３３５は、ピックアップ部３３６に番組２の動画データを出力し、動画データが、光ディスク３３６ａに記録される（Ｓ３２）。ピックアップ部３３６において光ディスク３３６ａから番組２の動画データを読み出すことにより、番組２が再生される（Ｓ３３）。
【００６９】
動画の再生中に、ユーザＣは、必要な場面のみを選択することにより、番組２の所望のシナリオを作成することができる（Ｓ３４）。具体的には、ユーザＣは、面白いと感じた場面が再生されているときに、その場面を選択してシナリオに組み込む操作を行う。一方、不要であると感じた場面（ＣＭなど）が再生されているときは、その場面を非選択とする操作を行う。例えば、番組２が「巨人ＶＳ阪神」の野球中継番組であり、ユーザＣは巨人の攻撃場面のみを再生するシナリオを作成したい場合、巨人の攻撃が終了すると、その先の場面を非選択とする操作を行う。その後、巨人の攻撃が開始すると、非選択を解除する操作を行う。ユーザＣはこの操作を再生が終了するまで繰り返すことができる。これにより、シナリオデータ作成部３３２は、巨人の攻撃場面のみを再生するシナリオ情報をデータ化して、シナリオデータをメモリ３３８に保存する（Ｓ３５）。
【００７０】
図８は、シナリオデータの一例を示しており、シナリオデータは、番組識別情報およびシナリオ１〜シナリオｎのｎ個のデータから構成されている。シナリオ１〜シナリオｎの各データは、選択された場面の開始時間情報および終了時間情報が含まれている。開始時間情報は、選択された場面の開始時点における番組開始からの再生時間を示しており、終了時間情報は、当該場面の終了時点における番組開始からの再生時間を示している。
【００７１】
記録再生装置３３０のピックアップ部３３６は、動画データを光ディスク３３６ａから読み出すときに、動画に係るシナリオデータを読み込むすることにより、そのシナリオデータに記録されたシナリオに従って動画を再生することができる。例えば、図８に示すシナリオデータを実行した場合、シナリオ１に対応する場面、シナリオ２に対応する場面、・・・シナリオｎに対応する場面の順に動画が再生される。
【００７２】
再び図７を参照する。番組２の再生が終了すると（Ｓ３６において「ＹＥＳ」）、シナリオデータ送信部３３３が、メモリ３３８に保存されたシナリオデータをネットワークを介してサーバ装置３１０に送信する（Ｓ３７）。これにより、シナリオデータがサーバ装置３１０のシナリオデータ記憶部３１１にアップロードされる（Ｓ３８）。なお、アップロードされたシナリオデータは、メモリ３３８から消去されずに保持される。
【００７３】
ユーザＣのクライアント装置３２０以外のクライアント装置３２０においても、同様にシナリオデータの作成およびシナリオデータのシナリオデータ記憶部３１１へのアップロードが行われることにより、シナリオデータ記憶部３１１には、複数のクライアント装置３２０からのシナリオデータが蓄積される。また、シナリオデータ記憶部３１１は、シナリオデータに含まれる番組識別情報に基づき、番組とシナリオデータとが互いに関連付けて記憶している。
【００７４】
本実施形態に係るコンテンツ再生システム３００では、ユーザＣのクライアント装置３２０において作成したシナリオデータを、ユーザＣだけでなくユーザＣ以外の不特定多数のユーザ（以下「ユーザＤ」とする）のクライアント装置３２０においても利用できるようになっている。これにより、不特定多数のユーザが、ユーザＣによって作成されたシナリオデータを共有することが可能となる。続いて、シナリオデータを実行して動画を再生する工程について説明する。なお、以下の説明では、シナリオデータを実行して動画を再生することを「シナリオ再生」と称する。
【００７５】
図９は、ユーザＤのクライアント装置３２０における、動画再生の工程を示すフローチャートである。ユーザＤのクライアント装置３２０においても、上記の番組２の動画データが、ピックアップ部３３６に装填された光ディスク３３６ａに既に録画されている。ユーザＤが番組２の再生を指示すると（Ｓ４１）、番組２の再生に先立って、ピックアップ部３３６を制御する図示しないドライブ制御部は、番組２のシナリオデータがメモリ３３８に保存されているか検索する（Ｓ４２）。
【００７６】
番組２のシナリオデータがメモリ３３８に保存されていない場合（Ｓ４２において「ＮＯ」）、シナリオデータ取得部３３４は、サーバ装置３１０にアクセスして（Ｓ４３）、番組２のシナリオデータがサーバ装置３１０のシナリオデータ記憶部３１１に保存されているか検索する（Ｓ４４）。番組２のシナリオデータがシナリオデータ記憶部３１１に保存されている場合（Ｓ４４において「ＹＥＳ」）、シナリオデータ取得部３３４は、シナリオデータ記憶部３１１から番組２のシナリオデータを取得して、メモリ３３８に取得したシナリオデータを保存する（Ｓ４５）。一方、番組２のシナリオデータがシナリオデータ記憶部３１１に保存されていない場合（Ｓ４４において「ＮＯ」）、シナリオデータを実行しない通常の動画再生が開始される（Ｓ４６）。
【００７７】
なお、Ｓ４５では、シナリオデータ取得部３３４は、シナリオデータ記憶部３１１に記憶されている番組２の全てのシナリオデータをダウンロードする構成としてもよいし、シナリオデータ記憶部３１１に記憶されている番組２のシナリオデータから、ユーザＤが選択したシナリオデータのみをダウンロードしてもよい。ユーザＤがダウンロードするシナリオデータを選択する場合は、図１０に示すような一覧がディスプレイ１５０に表示される。ユーザＤは、この一覧からダウンロードしたいシナリオのチェックボックスを選択してダウンロードボタンを選択することにより、所望のシナリオデータのみをダウンロードすることができる。
【００７８】
また、Ｓ４２において、シナリオデータがメモリ１３８に保存されている場合（Ｓ１２において「ＹＥＳ」）、上記のドライブ制御部は、メモリ３３８内のシナリオデータを更新するか否かをユーザＤに選択させるためのメッセージを、ディスプレイ１５０に表示する（Ｓ４７）。ユーザＤが、メモリ３３８内のシナリオデータを更新することを選択した場合（Ｓ４７において「ＹＥＳ」）、シナリオデータ取得部３３４がサーバ装置３１０にアクセスして（Ｓ４８）、シナリオデータ記憶部３１１から番組２のシナリオデータを取得して、メモリ３３８のシナリオデータを更新する（Ｓ４９）。
【００７９】
Ｓ４５においてメモリ３３８にシナリオデータが保存された場合、Ｓ４９においてメモリ３３８のシナリオデータが更新された場合、および、Ｓ４７においてユーザＤがメモリ３３８内のシナリオデータを更新しないことを選択した場合、図示しない上記ドライブ制御部は、シナリオ再生するか否かをユーザＤに選択させるためのメッセージを、ディスプレイ１５０に表示する（Ｓ５０）。このとき、ユーザＤが、シナリオ再生することを選択した場合（Ｓ５０において「ＹＥＳ」）、メモリ３３８からシナリオデータがピックアップ部３３６に出力されて、番組２のどのシナリオを実行するかをユーザＤに選択させるためのメッセージを、ディスプレイ１５０に表示する。ユーザＤは、所望するシナリオを選択することにより（Ｓ５１）、選択されたシナリオに従ってシナリオ再生が開始される（Ｓ５２）。ユーザＤが、シナリオ再生しないことを選択した場合（Ｓ５０において「ＮＯ」）、シナリオデータを実行しない通常の動画再生が開始される（Ｓ４６）。
【００８０】
以上のように、本実施形態に係るコンテンツ再生システム３００では、各クライアント装置３２０において作成されたシナリオデータがサーバ装置３１０にアップロードされることにより、不特定多数のユーザが当該シナリオデータを利用可能となっている。また、サーバ装置３１０にアップロードされるシナリオデータが増えれば増えるほど、各ユーザはより多くの種類のシナリオデータを利用でき、動画再生において、多くのユーザの嗜好に合わせた楽しみ方を享受できる。
【００８１】
シナリオデータの例としては、スポーツの試合中継において特定のチームの攻撃場面のみ再生するシナリオの他、歌番組において特定の歌手が出演する箇所だけを再生するシナリオや、クイズ番組において問題を提示する場面および解答を提示する場面のみを再生するシナリオ等が考えられる。
【００８２】
また、シナリオデータとしては、選択された場面のみを再生するものだけでなく、場面の再生順序を入れ替えたシナリオデータを作成してもよい。再生順序を入れ替えたシナリオデータの作成は、図７に示すフローチャートのように、動画の再生中に行うのではなく、シナリオデータの編集ツール等を用いて、図８に示す開始時間情報や終了時間情報を入力することにより行ってもよい。
【００８３】
また、本実施形態は、シナリオデータをメモリ３３８に保存する構成であったが、第２の実施形態のように、シナリオデータを光ディスク３３６ａに保存する構成であってもよい。
【００８４】
〔実施形態の総括〕
なお、上記の各実施形態に係る記録再生装置１３０、２３０、３３０の各ブロックは、ハードウェアロジックによって構成してもよいし、次のようにＣＰＵを用いてソフトウェアによって実現してもよい。
【００８５】
すなわち、記録再生装置１３０、２３０、３３０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである記録再生装置１３０、２３０、３３０の制御プログラムのプログラムコード（実行形式プログラム、中間コードプログラム、ソースプログラム）をコンピュータで読み取り可能に記録した記録媒体を、上記記録再生装置１３０、２３０、３３０に供給し、そのコンピュータ（またはＣＰＵやＭＰＵ）が記録媒体に記録されているプログラムコードを読み出し実行することによっても、達成可能である。
【００８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
また、記録再生装置１３０、２３０、３３０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８９】
本発明は、サーバ装置とクライアント装置とを備え、クライアント装置において動画などのコンテンツを再生するコンテンツ再生システムに利用することができる。
【符号の説明】
【００９０】
１００  コンテンツ再生システム
１１０  サーバ装置
１３０  記録再生装置（コンテンツ再生装置）
１３２  コメントデータ作成部（コンテンツ再生関連データ作成手段）
１３３  コメントデータ送信部（コンテンツ再生関連データ送信手段）
１３４  コメントデータ取得部（コンテンツ再生関連データ取得手段）
１３６  ピックアップ部（ピックアップ部）
１３６ａ  光ディスク
１３８  メモリ（記憶部）
２００  コンテンツ再生システム
２３０  記録再生装置（コンテンツ再生装置）
２３６  ピックアップ部（ピックアップ部）
２３６ａ  光ディスク
３００  コンテンツ再生システム
３１０  サーバ装置
３３０  記録再生装置（コンテンツ再生装置）
３３２  シナリオデータ作成部（コンテンツ再生関連データ作成手段）
３３３  シナリオデータ送信部（コンテンツ再生関連データ送信手段）
３３４  シナリオデータ取得部（コンテンツ再生関連データ取得手段）
３３６  ピックアップ部（ピックアップ部）
３３６ａ  光ディスク
３３８  メモリ（記憶部）
【図１】
2010239585.tif 000003
【図２】
2010239585.tif 000004
【図３】
2010239585.tif 000005
【図４】
2010239585.tif 000006
【図５】
2010239585.tif 000007
【図６】
2010239585.tif 000008
【図７】
2010239585.tif 000009
【図８】
2010239585.tif 000010
【図９】
2010239585.tif 000011
【図１０】
2010239585.tif 000012
【図１１】
2010239585.tif 000013
【図１２】
2010239585.tif 000014
【図１３】
2010239585.tif 000015
【図１４】
2010239585.tif 000016